(57)【要約】【目的】  処理遅延等の性能低下なく呼転送を可能とするＩＰ電話交換方法及び装置を提供する。【構成】  収容するＩＰ電話端末と外部のＩＰ電話端末とを呼接続する電話交換方法であり、呼接続要求に応じて、発信側のＩＰ電話端末の発信アドレスと、着信側のＩＰ電話端末の着信アドレスとを対応付け、該ＩＰ電話端末間の呼接続の用意をなし、少なくとも１つの中継アドレスを設け、該発信アドレスから該中継アドレスを経由して該着信アドレスに至る双方向の音声信号パケット経路を設定する。収容する他のＩＰ電話端末を転送先として指定する呼転送要求に応じて、該音声信号パケット経路における発信又は着信アドレスの何れか１を該転送先のＩＰ電話端末のアドレスに変更して、該音声信号パケット経路を再設定する経路再設定ステップとを含む。【選択図】  図２
2005328232.tif 000002
【特許請求の範囲】
【請求項１】
収容するＩＰ電話端末と外部のＩＰ電話端末とを呼接続する電話交換方法であって、
呼接続要求に応じて、発信側のＩＰ電話端末の発信アドレスと、着信側のＩＰ電話端末の着信アドレスとを対応付け、前記ＩＰ電話端末間の呼接続の用意をなす準備ステップと、
少なくとも１つの中継アドレスを設け、前記発信アドレスから前記中継アドレスを経由して前記着信アドレスに至る双方向の音声信号パケット経路を設定する経路設定ステップと、
収容する他のＩＰ電話端末を転送先として指定する呼転送要求に応じて、前記音声信号パケット経路における発信又は着信アドレスの何れか１を前記転送先のＩＰ電話端末のアドレスに変更して、前記音声信号パケット経路を再設定する経路再設定ステップと、
を含むことを特徴とする電話交換方法。
【請求項２】
収容するＩＰ電話端末と、外部のＩＰ電話端末とを呼接続するＩＰ電話交換装置であって、
呼接続要求に応じて、発信側のＩＰ電話端末の発信アドレスと、着信側のＩＰ電話端末の着信アドレスとを対応付け、前記ＩＰ電話端末間の呼接続の用意をなす準備手段と、
少なくとも１つの中継アドレスを設け、前記発信アドレスから前記中継アドレスを経由して前記着信アドレスに至る双方向の音声信号パケット経路を設定する経路設定手段と、
収容する他のＩＰ電話端末を転送先として指定する呼転送要求に応じて、前記音声信号パケット経路における発信又は着信アドレスの何れか１を前記転送先のＩＰ電話端末のアドレスに変更して、前記音声信号パケット経路を再設定する経路再設定手段と、
を含むことを特徴とするＩＰ電話交換装置。
【発明の詳細な説明】
【技術分野】
【０００１】
本発明は、ＩＰ構内電子交換装置（以下ＩＰ−ＰＢＸと称する）を介し、該装置が収容するＩＰ電話端末と、外部の例えば公衆ＩＰ電話網に含まれるＩＰ電話端末との接続をなすＩＰ電話交換方法及び装置に関する。
【背景技術】
【０００２】
図１に示されるように、ＩＰ−ＰＢＸに専用ＩＰ網を介して収容されたＩＰ電話と外部の公衆ＩＰ電話網のＩＰ電話と接続する１つの形態として、電話間の呼接続要求に応じた呼接続手順をＩＰ−ＰＢＸ本体が行い。呼設定がなされた後には、電話間の１リンクを介して直接に音声信号パケットを交信することが行われる。前者の呼設定には、例えば、ＳＩＰ（Session Initiation Protocol）、Ｈ．３２３及びＭＧＣＰ（Media Gateway Control Protocol）の如きＩＰ電話プロトコルが用いられ、後者の音声信号パケットの交信には、ＲＴＰ（Real-time Transfer Protocol）を用いて、同一の音声圧縮規格によりパケット化されたパケットを伝送することが行われる。
【０００３】
ところで、ＩＰ−ＰＢＸ配下のＩＰ電話が公衆ＩＰ電話網のＩＰ電話と直接に音声信号パケットを交信する通話中に、転送要求によりＩＰ−ＰＢＸ配下の他のＩＰ電話に呼を転送したい場合がある。この場合、音声信号終端点を変更する必要があることから、ＩＰ電話間の直接のパケット交信から、再び、ＩＰ−ＰＢＸにおける呼接続手続に戻り、呼接続プロトコルにおける呼転送手順の一環として音声信号終端点の変更手順を行う必要がある。
【発明の開示】
【発明が解決しようとする課題】
【０００４】
しかしながら、かかる呼接続プロトコルにおける音声信号終端点の変更手順の頻繁な実行は、オーバヘッドが大きく発生し処理遅延を生じる。さらには、複数の公衆ＩＰ電話網と接続する場合にはそれらが含む呼接続プロトコル、機能又は能力がかかる呼転送に対応できない場合がある。
【０００５】
本発明の目的は、処理遅延等の性能低下なく呼転送を可能とするＩＰ電話交換方法及び装置を提供することである。
【課題を解決するための手段】
【０００６】
本発明のＩＰ電話交換方法は、収容するＩＰ電話端末と外部のＩＰ電話端末とを呼接続する電話交換方法であり、呼接続要求に応じて、発信側のＩＰ電話端末の発信アドレスと、着信側のＩＰ電話端末の着信アドレスとを対応付け、該ＩＰ電話端末間の呼接続の用意をなす準備ステップと、少なくとも１つの中継アドレスを設け、該発信アドレスから該中継アドレスを経由して該着信アドレスに至る双方向の音声信号パケット経路を設定する経路設定ステップと、収容する他のＩＰ電話端末を転送先として指定する呼転送要求に応じて、該音声信号パケット経路における発信又は着信アドレスの何れか１を該転送先のＩＰ電話端末のアドレスに変更して、該音声信号パケット経路を再設定する経路再設定ステップとを含むことを特徴とする。
【０００７】
本発明のＩＰ電話交換装置は、収容するＩＰ電話端末と、外部のＩＰ電話端末とを呼接続するＩＰ電話交換装置であり、呼接続要求に応じて、発信側のＩＰ電話端末の発信アドレスと、着信側のＩＰ電話端末の着信アドレスとを対応付け、該ＩＰ電話端末間の呼接続の用意をなす準備手段と、少なくとも１つの中継アドレスを設け、該発信アドレスから該中継アドレスを経由して該着信アドレスに至る双方向の音声信号パケット経路を設定する経路設定手段と、収容する他のＩＰ電話端末を転送先として指定する呼転送要求に応じて、該音声信号パケット経路における発信又は着信アドレスの何れか１を該転送先のＩＰ電話端末のアドレスに変更して、該音声信号パケット経路を再設定する経路再設定手段とを含むことを特徴とする。
【発明の効果】
【０００８】
本発明によるＩＰ電話交換方法及び装置によれば、呼設定に応じた音声信号パケットの経路を、中継アドレスを介した経路に設定し、呼転送要求が発生した場合には、該呼転送に対応するように音声信号終端点のみを変更する構成が与えられる。これにより、処理遅延等の性能低下なく呼転送が可能となる。
【発明を実施するための最良の形態】
【０００９】
本発明の実施例について添付の図面を参照して詳細に説明する。
【００１０】
図２は、本発明の実施例を示し、ＩＰ電話交換装置の構成を示している。ここで、構内交換（ＰＢＸ）装置であるＩＰ−ＰＢＸ２０は、企業等の特定の組織に専用に設営される専用ＩＰデータ網であるＩＰ−ＶＰＮ１０と、一般加入者のＩＰ電話端末に接続し得る公衆ＩＰ電話網３０とに繋がれている。ＩＰ−ＶＰＮ１０は、ＩＰ−ＰＢＸ２０に収容される複数のＩＰ電話端末のうちの例としてＩＰ電話端末１１及び１２に繋がれている。公衆ＩＰ電話網３０には、加入している複数のＩＰ電話端末のうちの１つとしてＩＰ電話端末３１が繋がれている。ＩＰ−ＰＢＸ２０は、コールサーバ部２１と、普通電話収容インタフェース部（ＩＦ）２２と、ＩＰ電話端末収容インタフェース部（ＩＦ）２３と、公衆ＩＰ電話網ゲートウェイ部（ＧＷ）２４と、空き中継アドレステーブル２６と、音声信号中継部２５とを含む。
【００１１】
コールサーバ部２１は、ＩＰ−ＰＢＸ２０に含まれる各部に接続されてＰＢＸ交換機能全体を制御し、収容するＩＰ電話端末間の内線通話の呼制御と外部の公衆ＩＰ電話網３０からの着信又は公衆ＩＰ電話網３０への発信を含む外線通話の呼制御とを行う機能を有する。コールサーバ部２１は、また、呼接続要求に応じて、空き中継アドレステーブル２６から空きの中継アドレスを検索して音声信号中継部２５に送出することにより、音声信号中継部２５をして音声パケットの中継処理をなさしめる機能を有し、さらに、呼転送を受け付けて呼転送処理を制御する機能を有する。
【００１２】
普通電話収容インタフェース部２２は、従来の普通電話１９を接続する機能を有し、従来方式における音声信号とＩＰパケット化された音声信号との相互変換を行う音声ＩＰ変換機能を有する。これにより、普通電話１９は通常のＩＰ電話端末と同様に扱うことが可能となる。ＩＰ電話端末収容インタフェース部２３は、ＩＰ−ＶＰＮ１０に接続され、複数のＩＰ電話端末との間でＩＰプロトコルにより呼制御信号パケット及び音声信号パケットを送受信する機能を有する。公衆ＩＰ電話網ゲートウェイ部２４は、公衆ＩＰ電話網３０に接続され、異なるネットワークとの間でＩＰパケットを転送するゲートウェイ機能を有する。
【００１３】
音声信号中継部２５は、コールサーバ部２１により受け付けられ呼接続要求に基づいて、空き中継アドレステーブル２６から抽出された中継アドレスと、発信アドレス及び着信アドレスとの対応関係を音声信号経路設定テーブル２７に設定する機能を有する。音声信号中継部２５は、さらに、コールサーバ部２１により受け付けられ呼転送要求に基づいて、呼接続要求に基づいて設定された中継アドレスと発信元アドレス及び着信元アドレスとの対応関係を要求される転送先ＩＰ電話端末の転送先アドレスに音声信号経路設定テーブル２７を変更をする機能を有する。さらに、音声信号中継部２５は、この音声信号経路設定テーブル２７に従って、ＩＰ電話端末収容インタフェース部２３及び公衆ＩＰ電話網ゲートウェイ部２４を介して受信される音声信号パケットを適切な相手方に向けて送信する中継機能を有する。
【００１４】
図３は、図２に示される空き中継アドレステーブル及び音声信号経路設定テーブルの構成を説明している。空き中継アドレステーブル２６は、音声信号パケットを一旦中継するための中継点となる中継アドレスのうちの未使用のアドレスを格納するテーブルである。本図の例において、空き中継アドレステーブル２６には「aaa.bbb.ccc.001〜aaa.bbb.ccc.011」の如く設定され、複数の空き中継アドレスが保持されている。空き中継アドレスの管理としては、例えば、個々の呼接続毎に後述する音声信号経路設定テーブル２７に使用されることで１つの中継アドレスをテーブル中から削除し、そして該呼の解放に伴ってこれを再び空き中継アドレステーブルに戻すようにする。
【００１５】
音声信号経路設定テーブル２７は、ＩＰ−ＰＢＸ２０において受信される音声信号パケットに含まれる相手先アドレスに応じて、該音声信号パケットを何処のＩＰアドレスに向けて送信するべきかを与える経路を設定するテーブルである。音声信号経路設定テーブル２７は、呼接続毎に設けられる複数の中継アドレス２７１ａ及び２７１ｂに区分して管理される。例えば、中継アドレス２７１ａは、さらに設定テーブル２７２ａに対応付けられ、同様に中継アドレス２７１ｂは、さらに対応する設定テーブル（図示せず）に対応付けられる。設定テーブル２７２ａには、中継アドレスを中継点として音声信号パケットが交信されるＩＰ−ＰＢＸ側のＩＰアドレスと公衆ＩＰ電話網側のＩＰアドレスとが各々設定される。
【００１６】
本図の例における設定テーブル２７２ａは、中継アドレス「aaa.bbb.ccc.001」を中継点として音声信号パケットが交信されるＩＰ−ＰＢＸ側のＩＰ電話端末１１のＩＰアドレスと公衆ＩＰ電話網側のＩＰ電話端末３１のＩＰアドレスとが各々設定されている。これにより、ＩＰ電話端末１１からＩＰ−ＰＢＸ２０に向けて送信された音声信号パケットは、音声信号中継部２５の中継アドレス「aaa.bbb.ccc.001」を一旦介してＩＰ電話端末３１に送信される。一方、ＩＰ電話端末３１からＩＰ−ＰＢＸ２０に向けて送信された音声信号パケットは、音声信号中継部２５の中継アドレス「aaa.bbb.ccc.001」を一旦介してＩＰ電話端末１１に送信される。
【００１７】
本図の例における設定テーブル２７２ａ’は、ＩＰ電話端末１１とＩＰ電話端末３１との間の呼がＩＰ−ＰＢＸ２０に収容されたＩＰ電話端末１２に転送された場合の設定を示している。かかる転送時には、ＩＰ−ＰＢＸ側のＩＰアドレス「ＩＰ電話端末１１」が単純に「ＩＰ電話端末１２」に変更される。これにより、ＩＰ電話端末１２からの音声信号パケットはＩＰ電話端末３１に送信され、一方、ＩＰ電話端末３１から音声信号はＩＰ電話端末３１に送信されて、呼転送に基づく適切な音声信号の経路設定が達成される。
【００１８】
尚、以上の説明におけるＩＰアドレスの指定においては、ＩＰアドレスの指定と共に、同一ＩＰアドレスを共用する場合に必要となるサブアドレスとしてポート番号等の付加的なアドレス情報が併用されても良い。
【００１９】
図４は、本発明によるＩＰ電話交換方法の処理手順を示している。かかる処理手順について図２に示される構成要素を適宜参照して説明する。
【００２０】
先ず、ＩＰ電話端末１１は、ＩＰ電話端末３１を着信先として発信を行う（ステップＳ０１）。次いで、ＩＰ電話端末１１の発信に応じて、ＩＰ−ＰＢＸ２０のコールサーバ部２１は、空き中継アドレステーブル２６から空きの中継アドレスを検索する（ステップＳ０２）。次いで、コールサーバ部２１は、該中継アドレスを発信側音声信号終端点として公衆ＩＰ電話網３０に向けて発信する（ステップＳ０３）。該発信に応じて、公衆ＩＰ電話網３０は、着信先であるＩＰ電話端末３１に着信する（ステップＳ０４）。ＩＰ電話端末３１が着信に応答（ステップＳ０５）することで、公衆ＩＰ電話網３０は、ＩＰ電話端末３１の着信アドレスを着信側音声信号終端点としてＩＰ−ＰＢＸ２０に応答する（ステップＳ０６）。これによりＩＰ電話端末１１とＩＰ電話端末３１との間の呼接続の用意がなされる。
【００２１】
該応答に応じて、ＩＰ−ＰＢＸ２０のコールサーバ部２１は、ＩＰ−ＰＢＸ２０に含まれる音声信号中継部２５に、ＩＰ電話端末１１及びＩＰ電話端末３１の各々のアドレス並びに中継アドレスの指定を含む音声信号中継要求を送出する（ステップＳ０７）。これに応じて、音声信号中継部２５は、指定された各アドレスを基づいて音声信号経路設定テーブル２７を作成し（図３参照）、その完了を以てコールサーバ部２１に応答する（ステップＳ０８）。該応答に応じて、コールサーバ部２１は、該中継アドレスを着信側音声信号終端点としてＩＰ電話端末１１に応答する（ステップＳ０９）ことで、ＩＰ電話端末１１とＩＰ電話端末３１との間の通話路として音声信号パケット経路が設定される。
【００２２】
次いで、ＩＰ電話端末１１とＩＰ電話端末３１との間の通話により、ＩＰ電話端末１１の発信アドレスと中継アドレスとの間で、音声信号パケットが交信される（ステップＳ１０）。一方、ＩＰ電話端末３１の着信アドレスと中継アドレスとの間で、それら音声信号パケットが交信される（ステップＳ１１）。
【００２３】
図５は、本発明によるＩＰ電話交換方法の呼転送時の処理手順を示している。かかる処理手順について図２に示される構成要素を適宜参照して説明する。
【００２４】
前提として、図４に示された処理手順の結果として、ＩＰ電話端末１１の発信アドレスと中継アドレスとの間で音声信号パケットが交信され（ステップＳ１０）、且つ、ＩＰ電話端末３１の着信アドレスと中継アドレスとの間でそれら音声信号パケットが交信されている（ステップＳ１１）。
【００２５】
ここで、ＩＰ電話端末１１は、ＩＰ−ＰＢＸ２０に収容されているＩＰ電話端末１２に当該呼を転送する旨の転送要求を行う（ステップＳ１２）。該転送要求に応じて、ＩＰ−ＰＢＸ２０のコールサーバ部２１は、ＩＰ−ＰＢＸ２０の音声信号中継部２５に対して、音声信号経路設定テーブル２７の発信アドレスを転送先アドレスに変更するように変更要求する（ステップＳ１３）。音声信号中継部２５は、該変更要求に応じて、音声信号経路設定テーブル２７の設定を変更し、その変更完了を以てコールサーバ部２１に応答する（ステップＳ１４）。
【００２６】
該応答に次いで、コールサーバ部２１は、ＩＰ電話端末１１の呼転送要求の受付を応答する（ステップＳ１５）と共に、ＩＰ電話端末１２に対して呼を転送する転送要求を行う（ステップＳ１６）。ＩＰ電話端末１２が、呼転送に応じる応答をなす（ステップＳ１７）ことで、ＩＰ電話端末１１とＩＰ電話端末３１との呼接続の下において、音声信号の経路がＩＰ電話端末１２とＩＰ電話端末３１との間に設定され、実質的に呼の転送が達成される。
【００２７】
ＩＰ電話端末１２とＩＰ電話端末３１との間の通話により、ＩＰ電話端末１２である転送先アドレスと中継アドレスとの間で、音声信号パケットが交信される（ステップＳ１８）と共に、ＩＰ電話端末３１の着信アドレスと中継アドレスとの間で、それら音声信号パケットが交信される（ステップＳ１９）。
【００２８】
以上の実施例において、ＩＰ−ＰＢＸ配下のＩＰ電話端末が公衆ＩＰ電話網と通信中に、転送などの音声信号終端点が変更になる場合に、通常頻繁に必要だった呼接続プロトコル処理が不要となる。そのため、変更手順による処理遅延が解消される。また、公衆ＩＰ電話網の呼接続プロトコル、機能あるいは能力の制限に関わらず呼転送機能を提供することができる。
【図面の簡単な説明】
【００２９】
【図１】従来のＩＰ電話交換方法及び装置を説明する説明図である。
【図２】本発明の実施例を示し、本発明によるＩＰ電話交換装置を含む全体の構成を示しているブロック図である。
【図３】図２に示される空き中継アドレステーブル及び音声信号経路設定テーブルの構成を説明している説明図である。
【図４】本発明によるＩＰ電話交換方法の処理手順を示しているシーケンス図である。
【図５】本発明によるＩＰ電話交換方法の呼転送時の処理手順を示しているシーケンス図である。
【符号の説明】
【００３０】
１０  ＩＰ−ＶＰＮ
１１、１２、３１  ＩＰ電話端末
１９  普通電話
２０  ＩＰ−ＰＢＸ
２１  コールサーバ部
２５  音声信号中継部
２６  空き中継アドレステーブル
２７  音声信号経路設定テーブル
３０  公衆ＩＰ電話網
【図１】
2005328232.tif 000003
【図２】
2005328232.tif 000004
【図３】
2005328232.tif 000005
【図４】
2005328232.tif 000006
【図５】
2005328232.tif 000007